(57)【要約】【課題】画像表示装置における残像効果を大幅に軽減し高品質の立体画像および動画等の表示を可能にする。【解決手段】立体画像を表示する場合は、複数の画素を備えた画像表示パネルに左目画像および右目画像を順次切換え表示し、前記左目画像および右目画像をそれぞれ左目および右目で見ることにより立体視を可能にする。左目画像および右目画像をフレームごとに順次切換え表示し、あるフレームで左目（右目）画像の表示に使用した画素を使用して以後のフレームで右目（左目）画像の表示を行なう際には、左目（右目）画像の表示と右目（左目）画像の表示との間に少なくとも１フレーム分の黒表示期間のような信号吐き出し期間を挿入する。画像信号と黒表示を線順次方式でまたは点順次方式で切り換えることができる。同様の方法で動画の各フレームを順次表示することができる。【選択図】        図１
2004165713.tif 000002
【特許請求の範囲】
【請求項１】
複数の画素を備えた画像表示パネルに順次各フレームの画像を表示する画像表示装置において、
各フレームにおける表示は１ラインおきに画像信号を表示し、画像信号を表示するラインの間のラインは黒表示期間とし、かつ
フレームごとに順次画像信号を表示するラインと黒表示のラインとを入れ換えることを特徴とする画像表示装置。
【請求項２】
あるフレームでは奇数ラインの画素のみを使用して画像信号を表示し、かつ偶数ラインの画素は黒表示とし、そして隣接するフレームでは奇数ラインの画素は黒表示とし、かつ偶数ラインの画素のみを使用して画像信号を表示することを特徴とする請求項１に記載の画像表示装置。
【請求項３】
複数の画素を備えた画像表示パネルに順次各フレームの画像を表示する画像表示装置において、
各フレームにおける表示は各ラインにおいて１画素おきに画像信号を表示し、かつ画像信号を表示する画素の間の画素は黒表示とし、そして
フレームごとに順次画像信号を表示する画素と黒表示の画素とを入れ換えることを特徴とする画像表示装置。
【請求項４】
各フレームにおいて隣接ライン間で画像信号を表示する画素の位置を互いにオフセットさせることを特徴とする請求項３に記載の画像表示装置。
【請求項５】
複数の画素を備えた画像表示パネルに左目画像および右目画像を順次切換表示し、前記左目画像および右目画像をそれぞれ左目および右目で見ることにより立体視を可能にする画像表示装置において、
前記左目画像および前記右目画像をフレームごとに順次切換表示し、
各フレームにおける表示は１ラインおきに画像信号を表示し、画像信号を表示するラインの間のラインは黒表示期間とし、かつ
フレームごとに順次画像信号を表示するラインと黒表示のラインとを入れ換えることを特徴とする画像表示装置。
【請求項６】
あるフレームでは奇数ラインの画素のみを使用して画像信号を表示し、かつ偶数ラインの画素は黒表示とし、そして隣接するフレームでは奇数ラインの画素は黒表示とし、かつ偶数ラインの画素のみを使用して画像信号を表示することを特徴とする請求項５に記載の画像表示装置。
【請求項７】
複数の画素を備えた画像表示パネルに左目画像および右目画像を順次切換表示し、前記左目画像および右目画像をそれぞれ左目および右目で見ることにより立体視を可能にする画像表示装置において、
前記左目画像および前記右目画像をフレームごとに順次切換表示し、
各フレームにおける表示は各ラインにおいて１画素おきに画像信号を表示し、かつ画像信号を表示する画素の間の画素は黒表示とし、そして
フレームごとに順次画像信号を表示する画素と黒表示の画素とを入れ換えることを特徴とする画像表示装置。
【請求項８】
各フレームにおいて隣接ライン間で画像信号を表示する画素の位置を互いにオフセットさせることを特徴とする請求項７に記載の画像表示装置。
【請求項９】
複数の画素を備えた画像表示パネルに左目画像および右目画像を順次切換表示し、前記左目画像および右目画像をそれぞれ左目および右目で見ることにより立体視を可能にする画像表示装置において、
前記左目画像および前記右目画像をフレームごとに順次切換表示し、
あるフレームで左目（右目）画像の表示に使用した画素を使用して以後のフレームで右目（左目）画像の表示を行う際には、該画素による左目（右目）画像の表示と右目（左目）画像の表示との間に少なくとも１フレーム分の信号吐き出し期間を挿入することを特徴とする画像表示装置。
【請求項１０】
前記信号吐き出し期間は黒表示期間であることを特徴とする請求項９に記載の画像表示装置。
【発明の詳細な説明】
【０００１】
【発明の属する技術分野】
本発明は、画像表示装置に関し、例えば液晶表示パネルのような比較的応答速度の遅い画像表示パネルを用いても動画および立体画像等を高応答速度かつ高品質で的確に表示できるようにする技術に関する。
【０００２】
【従来の技術】
図５は、画像表示パネルとして液晶パネルを使用した従来の画像表示装置の一例としての立体（３Ｄ）表示装置の概略の構成を示す。
【０００３】
同図の立体表示装置は、左（Ｌ）カメラ２と、右（Ｒ）カメラ４と、信号処理装置６と、立体（３Ｄ）液晶表示装置１４などによって構成される。左カメラ２は、図示しない被写体像を撮像して左目画像に対応する左目画像信号を生成するものである。右カメラ４は、前記被写体を撮像して右目画像に対応する右目画像信号を生成するものである。通常、左カメラ２と右カメラ４とは所定の位置関係に保持され、同じ被写体をそれぞれ左目および右目で見た画像を撮像する。
【０００４】
信号処理装置６は、左（Ｌ）信号処理部８と、右（Ｒ）信号処理部１０と、３Ｄコンバータ１２を備えている。左信号処理部８および右信号処理部１０は、それぞれ、前記左カメラ２および右カメラ４から入力される左目画像信号および右目画像信号を受けて必要な信号処理、例えばγ補正、周波数特性の補正、色信号の処理、その他を行ない所定の特性を有する左目画像信号および右目画像信号を生成する。３Ｄコンバータ１２は、このような左目画像信号および右目画像信号を受けてフレームごとに左目画像信号および右目画像信号を交互に出力する３Ｄ映像信号または画像信号を生成し、液晶表示装置１４に供給する。
【０００５】
液晶表示装置１４は、液晶表示パネルの上に、液晶シャッタ１６を設けたもので、フレームごとに偏光方向を互いに直交する方向に切り換えるものである。このような３Ｄ液晶表示装置１４を左右で偏光方向の異なる眼鏡１８を使用して観察することにより立体表示パネル１４上に表示される左目画像を左目で観察し、右目画像を右目で観察することが可能になる。すなわち、立体表示パネル１４の画面上には、フレームごとに交互に左目画像および右目画像が表示されると共に、液晶シャッタ１６によってフレームごとに偏光方向が互いに直交する方向に切り換えられる。眼鏡１８の左右の偏光方向はそれぞれ立体表示パネル１４上に左目画像が表示される場合の液晶シャッタ１６の偏光方向および右目画像が表示される場合の液晶シャッタ１６の偏光方向と合わせてある。これによって、左目画像は左目で、右目画像は右目で観察することができ、立体視を行なうことが可能になる。
【０００６】
また、別の従来例として、液晶表示パネルを用いて動画を表示するための黒挿入駆動技術が提案されている。この技術は、各フレームの間に画面全体が黒のフレームを挿入することにより、あるフレームの残像が引き続くフレームに映らないようにするものである。この技術では、視覚（網膜）残像が抑制され、動画ぼやけを低減し動画視認性を向上できるとされている。
【０００７】
【発明が解決しようとする課題】
このような従来例の画像表示装置の内、図５に示すような立体表示装置に関しては、立体表示パネルとして液晶表示装置１４を使用する場合、応答速度が遅いため、各フレームでの表示画像に残像として前のフレームの画像が残ってしまい、映像が二重になって立体感を著しく劣化させるという問題があった。現在商品化されている通常の液晶パネルの応答速度は速いものでも２５ｍｓ（ミリセカンド）であり、立上りが１０ｍｓ、立下りが１５ｍｓ程度である。この応答速度では、通常のテレビジョン（ＴＶ）画像ではフレーム間の画像が若干重なっても実用上問題にはならないが、これを立体表示用として使用する場合は、前述のように立体感が劣化する。
【０００８】
この点につきやや詳細に説明する。図６は、従来の立体表示装置における表示動作を概略的に示す。同図の（ａ）に示すように、信号処理装置６の３Ｄコンバータ１２から出力される３Ｄ画像信号は前述のように、１フレームごとに左目画像信号（Ｌ）および右目画像信号（Ｒ）が順次交互に出力される。この場合、フレーム周波数を低くすれば液晶パネルの応答速度の問題は解決するが、フリッカが発生するためあまり低くできない。図６では、フリッカが気にならない程度の値として、フレーム周波数が８０Ｈｚとなっている。この場合は、各フレームの長さは１２．５ｍｓ（ミリセカンド）となり、左目画像信号（Ｌ）および右目画像信号（Ｒ）のフレーム周波数は各々４０Ｈｚとなる。
【０００９】
そして、このような３Ｄ画像信号を与えられた液晶表示装置１４においては、左目画像信号（Ｌ）は図６の（ｂ）に示すように、左目画像信号のフレームで立ち上がり、隣接する右目画像信号のフレームでなだらかに立ち下がる。また、右目画像信号（Ｒ）は図６の（ｃ）に示すように、右目画像信号の入力されるフレームでなだらかに立ち上がり、左目画像信号が入力されるフレームでなだらかに立ち下がる。このため、図６の（ｄ）に示すように、液晶表示装置１４においては、例えば左目画像を表示するフレームでは、前のフレームの右目画像の信号がなだらかに減衰すると共に左目画像信号のレベルがなだらかに上昇する。また、右目画像信号を表示するフレームでは前のフレームの左目画像信号がなだらかに減少するに応じて、右目画像信号のレベルが上昇することになる。
【００１０】
したがって、各フレームにおいて左目および右目成分が同時に存在する期間がかなり長くなり、液晶表示装置１４では左右両方の画像が重なって見えることになる。このような残像効果のため、立体表示が的確に行なわれず、かつ画像品質が低下する。フレームの周波数を低くすれば応答速度の影響は少なくなるが、フレーム周波数を低くしすぎるとフリッカが目立つことになる。
【００１１】
また、前述の別の従来例としての黒挿入駆動技術にあっては、フレーム周波数を２倍に上げる必要があり、駆動回路の高速化を図る必要が生じ装置コストの上昇を招くという不都合があった。
【００１２】
したがって、本発明の目的は、前述の従来の画像表示装置における問題点に鑑み、応答速度が遅い表示装置を使用した場合にも、残像効果の影響を受けず高品質で動画及び立体画像の表示が可能な画像表示装置を提供することにある。
【００１３】
【課題を解決するための手段】
本発明の一態様では、複数の画素を備えた画像表示パネルに順次各フレームの画像を表示する画像表示装置が提供され、該画像表示装置は各フレームにおける表示は１ラインおきに画像信号を表示し、画像信号を表示するラインの間のラインは黒表示期間とし、かつフレームごとに順次画像信号を表示するラインと黒表示のラインとを入れ換えることを特徴とする。
【００１４】
この場合、あるフレームでは奇数ラインの画素のみを使用して画像信号を表示し、かつ偶数ラインの画素は黒表示とし、そして隣接するフレームでは奇数ラインの画素は黒表示とし、かつ偶数ラインの画素のみを使用して画像信号を表示すると好都合である。
【００１５】
本発明の別の態様では、複数の画素を備えた画像表示パネルに順次各フレームの画像を表示する画像表示装置が提供され、該画像表示装置は各フレームにおける表示は各ラインにおいて１画素おきに画像信号を表示し、かつ画像信号を表示する画素の間の画素は黒表示とし、そしてフレームごとに順次画像信号を表示する画素と黒表示の画素とを入れ換えることを特徴とする。
【００１６】
この場合、各フレームにおいて隣接ライン間で画像信号を表示する画素の位置を互いにオフセットさせると好都合である。
【００１７】
本発明のさらに別の態様では、複数の画素を備えた画像表示パネルに左目画像および右目画像を順次切換表示し、前記左目画像および右目画像をそれぞれ左目および右目で見ることにより立体視を可能にする画像表示装置が提供され、該画像表示装置は前記左目画像および前記右目画像をフレームごとに順次切換表示し、各フレームにおける表示は１ラインおきに画像信号を表示し、画像信号を表示するラインの間のラインは黒表示期間とし、かつフレームごとに順次画像信号を表示するラインと黒表示のラインとを入れ換えることを特徴とする。
【００１８】
この場合、あるフレームでは奇数ラインの画素のみを使用して画像信号を表示し、かつ偶数ラインの画素は黒表示とし、そして隣接するフレームでは奇数ラインの画素は黒表示とし、かつ偶数ラインの画素のみを使用して画像信号を表示すると好都合である。
【００１９】
本発明のさらに別の態様では、複数の画素を備えた画像表示パネルに左目画像および右目画像を順次切換表示し、前記左目画像および右目画像をそれぞれ左目および右目で見ることにより立体視を可能にする画像表示装置が提供され、該画像表示装置は前記左目画像および前記右目画像をフレームごとに順次切換表示し、各フレームにおける表示は各ラインにおいて１画素おきに画像信号を表示し、かつ画像信号を表示する画素の間の画素は黒表示とし、そしてフレームごとに順次画像信号を表示する画素と黒表示の画素とを入れ換えることを特徴とする。
【００２０】
この場合、各フレームにおいて隣接ライン間で画像信号を表示する画素の位置を互いにオフセットさせると好都合である。
【００２１】
本発明のさらに別の態様では、複数の画素を備えた画像表示パネルに左目画像および右目画像を順次切換表示し、前記左目画像および右目画像をそれぞれ左目および右目で見ることにより立体視を可能にする画像表示装置が提供され、該画像表示装置は前記左目画像および前記右目画像をフレームごとに順次切換表示し、あるフレームで左目（右目）画像の表示に使用した画素を使用して以後のフレームで右目（左目）画像の表示を行う際には、該画素による左目（右目）画像の表示と右目（左目）画像の表示との間に少なくとも１フレーム分の信号吐き出し期間を挿入することを特徴とする。
【００２２】
この場合、前記信号吐き出し期間は例えば黒表示期間とすることができる。
【００２３】
【発明の実施の形態】
以下、図面を参照して本発明の好ましい実施形態につき説明する。
図１は、本発明の一実施形態に係わる画像表示装置としての立体表示装置の表示動作を概略的に示すものである。なお、本実施形態に係わる立体表示装置の構成は前記図５に示す従来の立体表示装置と同様の要素で構成されるが、図５における３Ｄコンバータ１２の構成が従来のものと異なる。すなわち、従来の立体表示装置では、３Ｄコンバータ１２はフレームごとに順次左目画像信号および右目画像信号を連続的に出力するものであったが、本発明では、３Ｄコンバータは、後に説明するように、左目画像信号および右目画像信号をフレームごとに（またはフィールドごとに）黒レベルの信号と線順次または点順次形式で出力する構成となっている。
【００２４】
すなわち、図１に示される実施形態では、３Ｄコンバータから出力される３Ｄ画像信号は、フレームごとに順次左目画像信号および右目画像信号を出力するものであるが、各左目画像信号および右目画像信号の構成が従来のものと異なっている。図１に示される実施形態では、同図の（ａ）に示される３Ｄ画像信号の内の、左目画像信号は、図６の（ｂ）に示されるように、各走査ラインの内、奇数ラインのみに左目画像信号を与え、偶数ラインは黒レベルまたは無信号状態とする。これに対し、引き続くフレームにおける右目画像信号は、図１の（ｃ）に示されるように、偶数ラインで右目画像信号を表示し、奇数ラインは黒レベルまたは無信号状態とする。
【００２５】
すなわち、左目画像信号を表示する場合には、対応するフレームの例えば奇数ラインのみを使用し、偶数ラインは黒色または無信号とし、右目画像を表示する場合は対応するフレームにおいて偶数ラインのみを使用して画像信号による表示を行ない、奇数ラインは黒色または無信号とする。このような構成により、例えば、左目画像を表示する場合は奇数ラインのみ表示動作を行なわせ、前に右目画像をするために使用した偶数ラインは残っている信号を吐き出させる期間、言わば画像切換期間、として利用することができる。したがって、左目画像および右目画像が混ざり合うことがなくなり、残像を大幅に軽減できる。この場合、前記画像切換期間は、例えば黒レベルの表示として、前のフレームで使用した画像信号を強制的に吐き出させることにより、後のフレームで左目画像信号または右目画像信号の一方のみを明瞭に表示することが可能になる。
【００２６】
図２は、本実施形態に係わる立体表示装置における表示画面の各画素の表示状態の一例を示す。同図に示されるように、例えばあるフレーム１では、奇数ラインの全ての画素は左目画像信号（Ｌ）による表示を行なっており、偶数ラインは黒レベルの表示を行なっている。フレーム１ではこのような奇数ラインと偶数ラインの表示状態が繰り返される。これに対し、フレーム１に隣接するフレーム２では奇数ラインは黒レベルを表示しており、偶数ラインの全ての画素は右目画像信号を表示している。フレーム２では、このような奇数ラインおよび偶数ラインの表示状態が繰り返される。
【００２７】
上述の立体表示装置は、動画を表示する場合にも好適に使用できる。すなわち、上記説明において、引き続くフレームで左目画像信号（Ｌ）および右目画像信号（Ｒ）を順次表示したが、これらの左目画像信号および右目画像信号に変えて動画の各画面の画像信号を順次入力すればよい。例えば、上述の左目画像信号（Ｌ）、右目画像信号（Ｒ）、・・・に変えて動画の奇数フレーム信号、偶数フレーム信号、・・・を順次表示すればよい。このような動画の表示においても、前のフレームの画像と引き続くフレームの画像が混ざり合うことがなくなり、残像を大幅に軽減できる。
【００２８】
次に、本発明の第２の実施形態に係わる画像表示装置としての立体表示装置につき説明する。本発明の第２の実施形態では、フレームごとに交互に左目画像および右目画像を順次表示するが、各フレームの走査ラインにおいて画像信号の表示に使用する画素と黒レベルを表示する画素とが順次交互に切り換えられ、言わば点順次式の表示が行なわれる。
【００２９】
例えば、図３に示すように、あるフレーム１では、左目画像が表示され、各走査ラインは左目画像信号（Ｌ）と黒レベル（Ｂ）とを画素ごとに順次交互に表示する。これに対し、フレーム１に隣接するフレーム２では右目画像が表示され、各走査ラインでは黒レベル（Ｂ）と右目画像（Ｒ）とが画素ごとに順次交互に表示される。したがって、フレーム１で画像信号、この場合は左目画像信号、の表示に使用した画素は隣接するフレーム２では信号表示に使用されず、黒レベルを表示し、前のフレームの信号の吐き出し期間として使用される。また、フレーム１において黒レベル（Ｂ）の画素は、隣接するフレーム２において画像信号、この場合は右目画像信号、の表示のために使用され、残像のない状態で画像信号を表示することができる。
【００３０】
図４は、点順次方式の別の例を示す。図４においても、例えばフレーム１は左目画像の表示のために使用され、隣接するフレーム２は右目画像の表示のために使用される。また、各走査ラインにおいて画像信号と黒レベルの表示が画素ごとに順次交互に切り換えられる。ただし、図４においては、例えば、各フレームにおいて、隣接する走査ライン間で画像信号の表示に使用した画素の位置がずらされている、すなわちオフセットされている。例えば、フレーム１の奇数ラインで左目画像を表示していた画素は、偶数ラインでは黒レベルを表示する。また、奇数ラインで黒レベルを表示していた画素は偶数ラインで左目画像を表示する。同様に、フレーム１に隣接するフレーム２において、奇数ラインでそれぞれ黒レベルおよび右目画像信号を表示していた画素は偶数ラインでは右目画像信号および黒レベルをそれぞれ表示するようオフセットされている。
【００３１】
このような走査ライン間で表示画素をオフセットさせることにより、視覚的に水平解像度や斜め解像度を改善することができる。なお、上記各実施形態において使用される３Ｄコンバータは、前述のような順序で各画像信号および黒レベルの信号を順次出力するよう構成すればよく、ゲート回路および／またはスイッチ回路などを使用して容易に構成することができる。
【００３２】
上述の第２の実施形態およびその変形例に係わる立体表示装置（図３および図４）においても、左目画像信号（Ｌ）および右目画像信号（Ｒ）に変えて動画の引き続く画面の信号を入力することにより、残像のない状態で動画を表示することが可能になる。すなわち、例えば、上述の立体表示装置において、フレーム１で左目画像信号（Ｌ）を供給し、フレーム２で右目画像信号（Ｒ）を供給し、以下順次左目画像信号（Ｌ）および右目画像信号（Ｒ）を供給していた。これに代えて、例えば、フレーム１で動画のある画面の画像信号を供給し、フレーム２で該動画の引き続く画面の画像信号を供給し、以下同様に順次引き続く画像信号を供給すればよい。すなわち、図３および図４の左目画像信号（Ｌ）および右目画像信号（Ｒ）に代えて順次動画の奇数画面の画像信号および偶数画面の画像信号を供給すればよい。これによって残像が抑制され動画ぼやけを低減しかつ動画視認性を向上させることが可能になる。
【００３３】
また、上記各実施形態においては、信号吐き出し期間は画像表示に使用しない画素に黒レベルの信号を供給するか無信号とするものとして説明した。しかしながら、信号吐き出し期間は黒レベル以外の信号を供給してもよい。例えば、信号吐き出し期間に黒レベルよりさらに低いレベルの信号を供給してもよい。あるいは、信号吐き出し期間の前のフレームで信号表示に使用した信号を所定の基準レベルに関して反転した信号等、前に信号表示に使用した信号のレベルに応じて変化する信号を供給してもよい。
【００３４】
さらに、上述の第１の実施形態（線順次方式）では、水平解像度は低下しないが垂直解像度が低下する。また、上記第２の実施形態（点順次方式）では、垂直解像度は低下しないが水平解像度は低下する。したがって、液晶パネルとして画素数の比較的少ないもの、例えばＶＧＡ（６４０×４８０）などを使用した場合には、用途によっては、解像度が不足する場合がある。
【００３５】
これを解決する方法として、水平方向または垂直方向の画素数を２倍にしたものを使用することもできる。また、液晶パネルをＳＸＧＡ（１２８０×１０２４）のような画素数の多いものとすることができる。
【００３６】
例えば、ＮＴＳＣ方式の場合には、走査線は１フレームにつき４８０本であるから、このようなＳＸＧＡ方式のパネルを使用することによって、左目画像信号および右目画像信号を間引きすることなく線順次で駆動できる。すなわち、左目画像信号および右目画像信号用に各々４８０本で計９６０本の走査線が使用され、これは１０２４より小さい。
【００３７】
また、水平解像度を劣化させない方法として液晶パネルにＸＧＡ（１０２４×７６８）方式のものを使用してもよい。これらのどの解像度のパネルを採用するかは、カメラの解像度、例えばＣＣＤ撮像素子などの画素数、その他の要求される仕様に応じて決定すればよい。
【００３８】
【発明の効果】
以上から明らかなように、本発明に係わる画像表示装置の内立体表示を行なうものにあっては、左目（右目）画像信号の表示に使用した画素をその後右目（左目）画像信号の表示に使用する際には、左目（右目）画像の表示と右目（左目）画像の表示との間に少なくとも１フレーム分の信号吐き出し期間が設けられている。したがって、応答速度の遅い表示装置を使用した場合にも、左右の信号が混合されて表示されることがなくなり、残像効果が大幅に軽減され、高品質の立体表示を行なうことが可能になる。また、立体表示パネルとしても、特殊な構造を有するものを新たに製作する必要はなく、従来のものを使用して、簡単な装置構成で高品質の立体表示を行なうことが可能になる。
【００３９】
また、本発明に係わる画像表示装置において動画を表示する場合でも、前の画面の画像が引き続く画面の画像と混ざり合うことがなくなり、残像を大幅に低減できる。これによって、動画の表示においても画像のぼやけなどを生じることがなくなり、高品質の動画表示を行なうことが可能になる。
【図面の簡単な説明】
【図１】本発明の一実施形態に係わる画像表示装置の動作原理を示すタイムチャートである。
【図２】図１に示される動作を行なう画像表示装置の各画素の表示状態を示す説明図である。
【図３】本発明の別の実施形態に係わる画像表示装置の各画素の表示状態を示す説明図である。
【図４】本発明のさらに別の実施形態に係わる画像表示装置の各画素の表示状態を示す説明図である。
【図５】従来の立体表示装置の概略の構成を示すブロック図である。
【図６】従来の立体表示装置の動作原理を説明するためのタイムチャートである。
【符号の説明】
２  左目画像用カメラ
４  右目画像用カメラ
６  信号処理装置
８  左目画像信号処理部
１０  右目画像信号処理部
１２  ３Ｄコンバータ
１４  立体表示パネル
１６  液晶シャッタ
１８  眼鏡
【図１】
2004165713.tif 000003
【図２】
2004165713.tif 000004
【図３】
2004165713.tif 000005
【図４】
2004165713.tif 000006
【図５】
2004165713.tif 000007
【図６】
2004165713.tif 000008